(57)【特許請求の範囲】
【請求項１】
サブバンドタイプのダイナミックレンジ圧縮器であって、
ブロードバンド入力信号にダイナミック圧縮を実行するべく、前記ブロードバンド入力信号を受信するための入力部と、
前記ブロードバンド入力信号を、１より大きい整数であるＫ個のナローバンドサブバンド信号に分割するためのサブバンド分割装置と、
Ｋ個の増幅サブバンド信号を得るべく、前記Ｋ個のナローバンドサブバンド信号の各々を、増幅係数のそれぞれによって増幅するための増幅部と、
前記ブロードバンド入力信号のダイナミック圧縮版であるブロードバンド出力信号を得るべく、前記Ｋ個の増幅サブバンド信号を結合するためのサブバンド結合装置と、
Ｋ個の前記サブバンドの各々に対して、Ｋ個の包絡線信号の１つをそれぞれ生成するための包絡線検出装置と、
前記Ｋ個の包絡線信号に基づいてＫ個の増幅器制御信号を生成するための増幅器制御装置であって、前記Ｋ個の増幅器制御信号の各々が前記Ｋ個の増幅係数の１つを表す増幅器制御装置とを備え、
前記増幅器制御装置は、前記Ｋ個の包絡線信号の１つより多くに基づいて増幅器制御信号を生成し、
前記増幅器制御装置は、また、前記ブロードバンド入力信号が過渡的な挙動を示す状況において、複数の異なるサブバンドに対して複数の異なる増幅係数を生成するとともに、前記ブロードバンド入力信号が実質的に定常的な挙動を示す状況において、複数の異なるサブバンドに対して、複数の実質的に同じ増幅係数を生成する、ダイナミックレンジ圧縮器。
【請求項２】
前記増幅器制御装置は、
前記Ｋ個の包絡線信号を受信するためのＫ個の入力部と、
各々が第１及び第２の入力部ならびに出力部を有するＫ個の除算部と、
各々が前記増幅器制御装置の前記Ｋ個の入力部の１つにそれぞれ接続される入力部及び前記Ｋ個の除算部の前記第２の入力部の１つにそれぞれ接続される出力部を有するＫ個のローパスフィルタ部と、
各入力部が前記Ｋ個のローパスフィルタ部の前記出力部の１つにそれぞれ接続されるＫ個の入力部及び出力部を有するとともに、自己の複数の入力部を介して受信された複数の前記信号に基づいて結合信号を生成する信号結合部と、
各々が、前記Ｋ個の除算部の前記Ｋ個の出力部の１つにそれぞれ接続される第１の入力部、前記信号結合部の前記出力部に接続される第２の入力部及び出力部を有するＫ個の乗算部と、
前記増幅係数を表す前記Ｋ個の増幅器制御信号を供給するためのＫ個の出力部であって、各々が前記Ｋ個の乗算部の複数の前記出力部の１つにそれぞれ接続されるＫ個の出力部とを備える、請求項１に記載のダイナミックレンジ圧縮器。
【請求項３】
サブバンドタイプのダイナミックレンジ圧縮器であって、
ブロードバンド入力信号にダイナミック圧縮を実行するべく、前記ブロードバンド入力信号を受信するための入力部と、
前記ブロードバンド入力信号を、１より大きい整数であるＫ個のナローバンドサブバンド信号に分割するためのサブバンド分割装置と、
Ｋ個の増幅サブバンド信号を得るべく、前記Ｋ個のナローバンドサブバンド信号の各々を、増幅係数のそれぞれによって増幅するための増幅部と、
前記ブロードバンド入力信号のダイナミック圧縮版であるブロードバンド出力信号を得るべく、前記Ｋ個の増幅サブバンド信号を結合するためのサブバンド結合装置と、
Ｋ個の前記サブバンドの各々に対して、Ｋ個の包絡線信号の１つをそれぞれ生成するための包絡線検出装置と、
前記Ｋ個の包絡線信号に応じてＫ個の増幅器制御信号を生成するための増幅器制御装置であって、前記Ｋ個の増幅器制御信号の各々が前記Ｋ個の増幅係数の１つを表す増幅器制御装置とを備え、
前記増幅器制御装置は、前記Ｋ個の包絡線信号の１つより多くに応じて増幅制御信号を生成し、
前記増幅器制御装置は、
前記Ｋ個の包絡線信号を受信するためのＫ個の入力部と、
各々が第１及び第２の入力部ならびに出力部を有するＫ個の除算部と、
各々が前記増幅器制御装置の前記Ｋ個の入力部の１つにそれぞれ接続される入力部及び前記Ｋ個の除算部の前記第２の入力部の１つにそれぞれ接続される出力部を有するＫ個のローパスフィルタ部と、
各入力部が前記Ｋ個のローパスフィルタ部の前記出力部の１つにそれぞれ接続されるＫ個の入力部及び出力部を有するとともに、自己の複数の入力部を介して受信された複数の前記信号に応じて結合信号を生成するように適合された信号結合部と、
各々が、前記Ｋ個の除算部の前記Ｋ個の出力部の１つにそれぞれ接続される第１の入力部、前記信号結合部の前記出力部に接続される第２の入力部及び出力部を有するＫ個の乗算部と、
前記増幅係数を表す前記Ｋ個の増幅器制御信号を供給するためのＫ個の出力部であって、各々が前記Ｋ個の乗算部の複数の前記出力部の１つにそれぞれ接続されるＫ個の出力部とを備える、ダイナミックレンジ圧縮器。
【請求項４】
前記増幅器制御装置は、サブバンドにおいて過渡的な挙動が生じる状況において、前記サブバンドにおける前記増幅器制御を複数の他のサブバンドにおける前記増幅器制御から分離する、請求項１から３のいずれか１項に記載のダイナミックレンジ圧縮器。
【請求項５】
除算部は、
前記増幅器制御装置の入力部及び乗算部の第１の入力部の間に配置されるか、
乗算部の前記出力部及び前記増幅器制御装置の出力部の間に配置されるか、又は、
前記信号結合部の前記出力部及び乗算部の第２の入力部の間に配置されるかのいずれかである、請求項２または３に記載のダイナミックレンジ圧縮器。
【請求項６】
複数の前記ローパスフィルタ部は、自己の複数の入力部に適用される複数の前記信号にローパスフィルタリングを実行し、ローパスフィルタリングは、一次ローパスフィルタ等によって非負インパルス応答を生じさせる、請求項２または３に記載のダイナミックレンジ圧縮器。
【請求項７】
前記信号結合部は、前記結合信号を生成するべく、自己の複数の入力部に適用される複数の前記信号を加算する、請求項２または３に記載のダイナミックレンジ圧縮器。
【請求項８】
前記サブバンド分割装置は、前記Ｋ個のサブバンド信号を生成するべく、Ｋ個の完全再構築フィルタを備える、請求項１から７のいずれか１項に記載のダイナミックレンジ圧縮器。
【請求項９】
前記サブバンド結合装置は、前記ブロードバンド入力信号のダイナミック圧縮版を生成するべく、Ｋ個の完全再構築フィルタを備える、請求項１から８のいずれか１項に記載のダイナミックレンジ圧縮器。
【請求項１０】
包絡線信号は、前記Ｋ個のサブバンド信号の１つの前記包絡線の基準である、請求項１から９のいずれか１項に記載のダイナミックレンジ圧縮器。
【請求項１１】
前記ダイナミックレンジ圧縮器は、
第２のブロードバンド入力信号にダイナミック圧縮を実行するべく、前記第２のブロードバンド入力信号を受信するための第２の入力部と、
前記第２のブロードバンド入力信号を前記第２のブロードバンド入力信号のＫ個のナローバンドサブバンド信号に分割するための第２のサブバンド分割装置と、
前記第２のブロードバンド入力信号のＫ個の増幅サブバンド信号を得るべく、それぞれの増幅係数によって、前記第２のブロードバンド入力信号の前記Ｋ個のサブバンド信号の各々を増幅するための第２の増幅部と、
前記第２のブロードバンド入力信号のダイナミック圧縮版である第２のブロードバンド出力信号を得るべく、前記第２のブロードバンド入力信号の前記Ｋ個の増幅サブバンド信号を結合するための第２のサブバンド結合装置と、
Ｋ個の前記サブバンドの各々に対して、前記第２のブロードバンド入力信号のＫ個の包絡線信号の１つをそれぞれ生成するための第２の包絡線検出装置と、
前記第２のブロードバンド入力信号の前記Ｋ個の包絡線信号に基づいて、各々が前記第２の増幅部に対する前記Ｋ個の増幅係数の１つを表すＫ個の追加増幅器制御信号を生成するための増幅器制御装置とをさらに有し、
前記増幅器制御装置は、２Ｋ個の前記包絡線信号の１つより多くに基づいて、追加増幅器制御信号を生成する、請求項１から１０のいずれか１項に記載のダイナミックレンジ圧縮器。
【請求項１２】
前記第２のブロードバンド入力信号に対する前記Ｋ個の追加増幅器制御信号の各々は、前記ブロードバンド入力信号に対する前記Ｋ個の増幅器制御信号の１つに等しい、請求項１１に記載のダイナミックレンジ圧縮器。
【請求項１３】
前記増幅器制御装置は、Ｋ個の信号結合部をさらに有し、第ｋの信号結合部の各々は、前記ブロードバンド入力信号及び前記第２のブロードバンド入力信号の第ｋの包絡線信号を結合する、請求項１２に記載のダイナミックレンジ圧縮器。
【請求項１４】
前記増幅器制御装置は、２Ｋ個の前記包絡線信号の全てに基づいて、増幅器制御信号及び追加増幅器制御信号の少なくとも１つを生成する、請求項１１に記載のダイナミックレンジ圧縮器。
【請求項１５】
前記増幅器制御装置は、２Ｋ個の前記包絡線信号の全てに基づいて、増幅器制御信号及び追加増幅器制御信号の全てを生成する、請求項１１に記載のダイナミックレンジ圧縮器。
【発明の詳細な説明】
【技術分野】
【０００１】
本発明は、請求項１のプリアンブルに係るダイナミックレンジ圧縮器に関する。この種のダイナミックレンジ圧縮器は、米国特許第６０９７８２４号により知られている。
【０００２】
公知のダイナミックレンジ圧縮器によれば、圧縮された信号は、概して、制御された入力信号の増幅によって生成される。増幅の制御は、概して、特性線生成器によって包絡線信号から抽出される制御信号との乗算によって行われる。ここでは、包絡線信号が、入力信号から抽出され、従って入力信号の包絡線を表す場合を考慮する。増幅の制御速度が速過ぎると、増幅により、可聴歪みが生じる。そこで、包絡線信号は、つまり制御信号も同様に、概して、入力信号よりも実質的により低い周波数とするように平滑化され、これにより、妨害的な可聴歪みを防止する。しかしながら、このような増幅制御の低速化には、長時間にわたる増幅の変化が、妨害的に可聴的となりうるという欠点があり、この状態は「ポンピング」効果とも称される。
【０００３】
「ポンピング」効果低減のための公知の手段は、複数のサブバンド信号を生成するべく、入力信号を複数の周波数帯域に分割すること、及び、複数のサブバンド信号に対して個別の増幅制御を行うことである。このプロセスは、分割を行わないブロードバンド圧縮に対して、マルチバンド圧縮と称される。このプロセスでは、複数の周波数帯域について、複数の包絡線信号及び複数の制御信号が、各々、個別に抽出される。にもかかわらず、このようなダイナミックレンジ圧縮器の出力信号は、複数のサブバンドへの分割では除去不可能と思われる妨害成分を含む。
【０００４】
本発明の目的は、これらの妨害成分を除去すること、又は少なくとも実質的にこれらを抑制することである。この目的のために、請求項１のプリアンブルに係るダイナミックレンジ圧縮器は、請求項１の特徴部分に係る特徴を有する。好適な本発明の実施形態において、ダイナミックレンジ圧縮器は、請求項２又は３に係る特徴を有する。本発明に係るダイナミックレンジ圧縮器のさらなる好適な例示的実施形態は、他の従属項において定義される。
【０００５】
本発明は、以下の知識に基づく。
【０００６】
マルチバンド圧縮は、周波数帯域の１つにおける実質的に可変の包絡線（過渡的な場合）も、他の周波数帯域における増幅制御に影響を与えないという効果を有する。この方法において、ポンピング効果は、それぞれのサブバンド信号の周波数帯域自体に限定され、共に低減される。しかしながら、この方法の１つの短所は、包絡線が不変又は無視可能な程度に可変の場合（定常的な場合）に、マルチバンド圧縮が、信号の総和の周波数部分間の関係に、妨害的に可聴的な崩れを引き起こすことである。
【０００７】
入力信号を複数の周波数帯域に分割するための公知の手段は、フィルタバンクである。この手段により、複数のサブバンド信号が、入力信号から抽出される。これらのフィルタバンクは、典型的には、複数のサブバンド信号が加算された結果、全体的な遅延が生じる可能性は別として、入力信号となる（信号総和の保存）ことを特徴とする。周波数帯域に対する包絡線帯域は、電力が量と適切に等しいため、典型的には、電力測定を用いて抽出される。サブバンドに対する電力は、サブバンド信号を二乗し、続いて、必要に応じてこれを平滑化することによって、測定することができる。しかし、概して、これらの電力の積算合計が入力信号の積算電力に等しい（エネルギー総和の保存）という条件が満たされないという欠点が見られる場合がある。このような理由により、複数のブロードバンド信号では、電力の総和が量の総和と必ずしも等しくないため、このような複数の信号のサブバンド電力に基づくマルチバンド圧縮は、量に対して必ずしも完全な精度で行われない場合がある。
【０００８】
着想の進歩性は、マルチバンド圧縮とブロードバンド圧縮との間で連続的な移行を実現する点にある。この目的のために、複数の増幅器制御信号を抽出するべく、マルチバンド圧縮において複数の周波数帯域の複数の包絡線信号が互いに結合されるが、複数の増幅器制御信号は、以下の値をとることが想定される。
−各周波数帯域についての個別の値であって、圧縮が純然たるマルチバンド圧縮（マルチバンドタイプの圧縮）として作用するように、長時間の相対的変化が、対応する包絡線信号の調整前における長時間の相対的変化と同じとなる値、
−同一の共通値であって、圧縮がマルチバンド構造ではなくても、ブロードバンド圧縮（ブロードバンドタイプの圧縮）と同じものを示すような値、及び
−上述した２つの場合の間の中間値であって、圧縮が前述したタイプの圧縮の間で過渡的な挙動を示すような値。
【０００９】
複数の包絡線信号の結合は、ブロードバンドタイプの圧縮の共通値が、定常的な包絡線信号の総和と等しくなるように行われる。つまり、複数の包絡線信号が入力信号の量部分と等しい場合、複数の定常的な包絡線信号の総和は、入力信号の総量と等しい。
【００１０】
さらに、複数の包絡線信号の結合は、ある周波数帯域の個々の包絡線信号における瞬時の変化によって、この変化に比例する瞬時の変化が増幅制御信号に生じるが、残りの周波数帯域の増幅制御信号には瞬時の変化が生じないように行われる。つまり、複数の包絡線信号が入力信号の量部分と等しい場合、包絡線信号の瞬時の変化は、入力信号の対応する量部分の瞬時の変化と等しい。
【００１１】
さらに、複数の包絡線信号の結合は、マルチバンド圧縮からブロードバンド圧縮へと、長時間にわたって連続的に緩和されるように行われる。つまり、例えば、包絡線の単独の突然の変化に対して、変化の瞬間、すなわち過渡的な場合に、圧縮はマルチバンドタイプであり、圧縮が引き続き連続的な移行に入った後、移行は包絡線が一定の定常的な場合に終了するが、ここで、圧縮は、ブロードバンドタイプである。有利には、圧縮タイプの緩和は、ポンピング効果が、サブバンド信号のそれぞれの周波数帯域自体に限定されるとともに、定常的な包絡線を有するサブバンド信号間における関係の崩壊も防止するという効果のいずれもを有する。
【００１２】
包絡線結合の前述した特性が併用されることにより、結合された包絡線信号から抽出された増幅制御信号を用いる圧縮に対して、圧縮された信号の信号量のさらなる典型的な望ましくない変調を小さくする。この変調は、包絡線信号が入力信号の量部分と完全に等しい場合に最小となる。完全ではないがほぼ等しい場合であっても、前述した包絡線信号の結合は、歪み及び「ポンピング」効果が低減されるという前述した有利な効果を、程度は落ちる場合はあるものの、依然として有する。 
【００１３】
さらなる詳細は、後述のさらなる着想の中で明らかとなる。
【００１４】
既に述べたように、包絡線信号は、入力信号の量部分と等しい場合に有利である。この効果は、サブバンド電力信号の積算合計が入力信号の積算電力と等しい場合に（エネルギー総和の保存）、包絡線信号がサブバンド電力信号から形成されることで達成される。これにより、サブバンド電力信号は、入力信号の電力を、入力信号がサブバンド信号に分割される周波数帯域と本質的に同じ周波数帯域に分割する。サブバンド信号は、信号総和の保存という特性を有するフィルタバンクによって入力信号から抽出され、さらに、同様に入力信号から抽出されるサブバンド補完信号に対する多くの出力によって拡張される。各周波数帯域分割に対して、１のサブバンド補完信号が存在する。各サブバンド電力信号は、それぞれの周波数帯域のサブバンド信号の二乗と、周波数帯域に対応するサブバンド補完信号の二乗との結合から抽出される。これは、サブバンド信号の二乗の積算値及びサブバンド補完信号の二乗の積算値が、遅延の可能性は別として、再び加算されて入力信号の二乗の積算値となる（エネルギー総和の保存）という効果を有する。
【００１５】
さらに、サブバンド補完信号の二乗の一部は、サブバンド信号の二乗と合算される前に、任意に再配分される。このサブバンド補完信号を抽出する改良された方法により、より平滑な包絡線信号が得られるとともに、これによって有利に歪みが減少する。その上、この種の抽出により、電力分割の周波数帯域制限に対する、信号分割の周波数帯域制限のマッチングが最適化される。
【００１６】
歪みのさらなる減少は、平滑化フィルタによって包絡線信号個別のさらなる平滑化を任意に追加することにより、有利に達成される。
【００１７】
さらなる利点は、平滑化フィルタの設定された帯域幅の依存性から、それぞれの周波数帯域の帯域幅が増えるにつれて平滑化フィルタの帯域幅を増やすという方法によって、任意に得られる。これにより、増幅の過剰な高速又は低速の制御によって起こり得る阻害の間における折衷が改善される。
【００１８】
聴覚に関して最適化された重み付け要素を用いて、サブバンド電力信号の周波数帯に依存した重み付けを任意に加算することにより、量の等しさに関するより高い精度が有利に達成される。
【図面の簡単な説明】
【００１９】
後述する図面の説明において、本発明がさらに詳細に説明される。
【００２０】
【図１】図１は、本発明に係るダイナミックレンジ圧縮器の第１の例示的な実施形態を示す。
【００２１】
【図２】図２は、図１のダイナミックレンジ圧縮器の増幅制御装置の実施形態を示す。
【００２２】
【図３】図３は、ダイナミックレンジ圧縮器の圧縮特性を示す。
【００２３】
【図４】図４は、図１のダイナミックレンジ圧縮器におけるサブバンド分割装置の実施可能形態を示す。
【００２４】
【図５】図５（ａ）、図５（ｂ）、図５（ｃ）、図５（ｄ）、図５（ｅ）、図５（ｆ）、図５（ｇ）、図５（ｈ）、図５（ｉ）、図５（ｊ）、図５（ｋ）、図５（ｌ）、図５（ｍ）は、図１のサブバンド分割装置における様々な信号を示す。
【００２５】
【図６】図６は、図１のダイナミックレンジ圧縮器における包絡線検出器の例示的な実施形態を示す。
【００２６】
【図７】図７は、本発明に係るダイナミックレンジ圧縮器の第２の例示的な実施形態を示す。
【発明を実施するための形態】
【００２７】
図１は、本発明に係るダイナミックレンジ圧縮器の第１の例示的な実施形態を示す。ダイナミックレンジ圧縮器は、サブバンドタイプであり、ブロードバンド入力信号、特に、ブロードバンド音声信号を受信するための入力部１００を備える。入力部１００は、ブロードバンド入力信号を、対応する周波数サブバンドＳＢｋにおいてＫ個のサブバンド信号ＳＳＢｋに分割するべく、サブバンド分割装置１０２の入力部１０１と接続され、Ｋ個のサブバンド信号ＳＳＢｋは、複数の出力部１０３．１、１０３．２、…１０３．ｋ、…１０３．Ｋへと供給される。Ｋは、１より大きい整数である。好適には、３２以下のＫが有効である。ブロードバンド入力信号は、概して、場合によっては既に符号化され、典型的には１５ｋＨｚから３０ｋＨｚの大きさの順の帯域幅を有する音声信号である。複数のナローバンドサブバンド信号は、好適には、等しい相対的な帯域幅の複数のバンドパス信号及び補完ローパス信号である。Ｋの典型的な値は１０であり、バンドパス信号は比率２対１の周波数範囲をそれぞれ網羅し（オクターブフィルタバンク）、ローパス信号は、これらの周波数範囲の中で最も低いものに従う。「ナローバンド」における「ナロー」は、（ブロードバンド）入力信号の帯域幅よりも狭いものと理解される。
【００２８】
増幅部１０４は、Ｋ個の増幅サブバンド信号を生成するために対応する増幅係数によって、Ｋ個のサブバンド信号の各々を増幅するために設けられる。Ｋ個の増幅サブバンド信号は、サブバンド結合装置１０５に供給される。サブバンド結合装置は、出力信号を生成するべく、Ｋ個の増幅サブバンド信号を結合するように構成され、出力信号は、ブロードバンド入力信号が強弱に関して圧縮されたものであり、ダイナミックレンジ圧縮器の出力部１０６に供給される。包絡線検出装置１０７は、Ｋ個の包絡線信号を生成するために設けられ、各包絡線信号は、周波数サブバンドＳＢｋの１つにそれぞれ対応する。包絡線検出装置１０７の入力部１０８．１、…、１０８．ｋ、…１０８．Ｋは、サブバンド分割装置１０２の出力部１０３．１、…１０３．ｋ、…１０３．Ｋのそれぞれと接続される。包絡線信号のそれぞれは、包絡線検出装置１０７の出力部１０９．１、…、１０９．ｋ、…１０９．Ｋのそれぞれに供給される。包絡線検出装置１０７の出力部は、増幅器制御装置１１０の入力部１１１．１、…、１１１．ｋ、…１１１．Ｋのそれぞれと接続される。増幅器制御装置１１０は、自己の入力部１１１．１〜１１１．Ｋに供給されるＫ個の包絡線信号に基づいて、Ｋ個の増幅器制御信号を生成するように構成され、Ｋ個の増幅器信号の各々は、Ｋ個の増幅係数の１つを表す。生成されたＫ個の増幅器制御信号は、出力部１１２．１〜１１１．Ｋに供給される。特に、増幅器制御装置１１０は、Ｋ個の包絡線信号の１つより多くに基づいて、増幅器制御信号を生成する。増幅器制御装置１１０の出力部１１２．１〜１１２．Ｋは、増幅部１０４において、増幅器Ａ１〜ＡＫのそれぞれの制御出力部と接続され、増幅器制御信号は、増幅器において、それぞれの増幅係数に従って増幅を実現する。さらに、増幅器Ａ１〜ＡＫの入力部は、サブバンド分割装置１０２の出力部１０３．１〜１０３．Ｋと接続される。増幅器Ａ１〜ＡＫの出力部は、サブバンド結合装置１０５の入力部１１３．１〜１１３．Ｋのそれぞれと接続される。
【００２９】
本発明によれば、増幅器制御装置１１０において、Ｋ個の包絡線信号の１つより多くに基づいて増幅器制御信号が抽出される。好適には、増幅器制御信号は、Ｋ個の包絡線信号の全てに基づいて抽出される。
【００３０】
特に、増幅器制御装置は、Ｋ個の包絡線信号の全てに基づいて、全ての増幅器制御信号を生成するように構成される。
【００３１】
増幅器制御装置は、ブロードバンド入力信号が過渡的な挙動を示す場合には、異なるサブバンドに対して異なる増幅係数を生成するようにさらに構成されるとともに、ブロードバンド入力信号がほぼ定常的な挙動を示す場合には、異なるサブバンドに対してほぼ等しい増幅係数を生成するように構成される。このさらなる詳細は、以下においてさらに説明される。
【００３２】
図２は、図１のダイナミックレンジ圧縮器の増幅器制御装置１１０の実施形態を示す。ここで参照符号２１０によって示される増幅器制御装置は、Ｋ個の除算部２１１．１〜２１１．Ｋを含み、各々は、増幅器制御装置２１０のＫ個の入力部１１１．１〜１１１．Ｋの中で対応する入力部１１１．ｋと接続された第１の入力部２１２．ｋを有するとともに、第２の入力部２１３．ｋ及び出力部２１４．ｋを有する。
【００３３】
Ｋ個のローパスフィルタ部２１５．１〜２１５．Ｋは、それぞれが、増幅器制御装置２１０のＫ個の入力部の中で対応する入力部１１１．ｋと接続された入力部２１６．ｋを有するとともに、Ｋ個の対応する除算部２１１．１〜２１１．Ｋの１つの対応する第２の入力部２１３．ｋと接続された出力部２１７．ｋを有するように設けられる。Ｋ個のローパスフィルタ部２１５．１〜２１５．Ｋの出力部２１７．ｋは、信号結合部２１９の対応する入力部２１８．１〜２１８．Ｋと接続される。信号結合部２１９は、出力部２２０を有する。信号結合部２１９は、自己のＫ個の入力部２１８．１〜２１８．Ｋで受信された信号に基づいて、結合信号２２１を生成するように構成される。
【００３４】
Ｋ個の乗算部２２２．１〜２２２．Ｋは、各々が、Ｋ個の除算部２１１．ｋの１つの対応する出力部２１４．ｋと接続された第１の入力部２２３．ｋを有し、信号結合部２１９の出力部２２０と接続された第２の入力部２２４．ｋを有し、かつ、出力部２２５．ｋを有するように設けられる。出力部２２５．１、…２２５．ｋ、…２２５．Ｋにおいて、増幅器Ａ１〜ＡＫに供給されるダイ（die）増幅係数を表す出力信号が出力される。この目的のために、乗算部２２２．ｋの出力部２２５．ｋは、増幅器制御装置２１０の対応する出力部１１２．ｋと接続される。
【００３５】
好適には、ローパスフィルタ部２１５．１〜２１５．Ｋは、自己の入力部における信号に適用されるローパスフィルタリングを実行するように構成され、フィルタリングによって、一次ローパスフィルタリング等の非負インパルス応答が生じる。信号結合部２１９は、好適には、出力部２２０において出力信号を得るべく、自己の入力部において複数の信号を加算する加算回路である。除算回路２１１．ｋ等の除算回路は、ローパスフィルタ２１６．ｋの出力部においてローパスフィルタリングされた入力信号によって、入力部１１１．ｋにおける入力信号を除算するように動作する。
【００３６】
この設計は、除算回路の出力信号が、対応する包絡線の高速変化と低速変化との間の比率を形成するという効果を有する。この比率は、サブバンド信号が定常的な場合に、ほぼ１に等しく、逆に、過渡的な場合には、過渡的な包絡線の変化（過渡比率）を示す。例えば、急激な上昇があった場合には、比率が１より高い値となることにより、上昇の程度を示す。全てのサブバンドが定常的な場合、全てのサブバンドの増幅器制御信号はほぼ等しく、すなわち、信号結合部の出力信号と等しくなる。この全体的に定常的な状態からの過渡偏差がサブバンドに生じると直ちに、対応する乗算回路の効果により、対応する増幅器制御信号に過渡比率が適用される。これにより、全てのサブバンドの全体的に定常的な状態に対して低速の増幅制御、同時に、個々のサブバンドの過渡偏差に対して高速の増幅制御という効果が達成される。ローパスフィルタにより、過渡的及び定常的な挙動の間で、緩やかな移行が確実に行われる。さらに、まさに説明したタイプの段階的で結合された形式の全ての包絡線挙動により、同様に、段階的で結合された形式の対応する増幅器制御信号がもたらされる。
【００３７】
乗算回路２２２．ｋ等の乗算回路は、乗算回路の出力信号を抽出し、つまり、増幅器制御信号の増幅器Ａｋにおける増幅を制御するべく、自己の入力部において互いに信号を乗算する。
【００３８】
ここで述べておくべきことは、図２の増幅器制御装置２１０の回路構成は、回路の効果に変化をもたらすことなく、様々な方法で改良することができるということである。除算部２１１．１〜２１１．Ｋ自体は、回路の異なる位置、すなわち（１）Ｋ個の乗算部２２２．１〜２２２．Ｋの後、すなわち、Ｋ個の乗算部２２２．１〜２２２．Ｋの出力部と対応する出力部１１２．１〜１１２．Ｋとの間の接続部分に、又は（２）信号結合部２１９の出力部２２０から、Ｋ個の乗算部２２２．１〜２２２．Ｋのそれぞれの第２の入力部までの接続部分に、配置されてもよい。
【００３９】
図３は、ダイナミックレンジ圧縮器の圧縮特性の例を示す。図３において、増幅Ａ（ｄＢ単位）が、包絡線Ｅ（ｄＢ単位）の関数として示される。
【００４０】
増幅器装置の制御曲線の下降特性は、この場合、直線であり、増幅Ａがより減少するほど、Ｅで示される増幅器制御信号がより強くなるという効果を有する。増幅器制御信号の特定の値に対して、すなわち動作点Ｅｂｉａｓにおいて、増幅は０ｄＢであり、つまり、信号は、この場合、増幅されていない。動作点は、量の目標値を固定するために適している。目標値よりも音が大きい信号は減衰し、目標値よりも音が小さい信号は増幅され、強弱が圧縮されるという効果を有する。特性曲線の勾配（ｄＡ／ｄＥ）ｓｌｏｐｅは、圧縮の程度を決定し、勾配値が−１ｄＢ／ｄＢの場合、ダイナミック圧縮の効果は、自己の最大となる。典型的には、「フルスケール」出力駆動レベルに関して、−１ｄＢ／ｄＢ≦（ｄＡ／ｄＥ）ｓｌｏｐｅ＜０ｄＢ／ｄＢかつ−４０ｄＢ≦Ｅｂｉａｓ≦−６ｄＢが有効である。Ｅｂｉａｓ及び（ｄＡ／ｄＥ）ｓｌｏｐｅは、ユーザによる設定のためのアクセスを可能とするべく、制御入力として与えることができる。
【００４１】
図４は、図１に係るダイナミックレンジ圧縮器におけるサブバンド分割装置１０２の実施可能形態を示し、図４においては参照符号４０２によって示される。最新技術から知られているように、サブバンド分割装置１０２は、概して、好適には完全再構築を行う、バンドパス特性を有するＫ個のナローバンドサブバンドフィルタの並列接続から構成することができる。図４においては、しかしながら、サブバンドフィルタＳＢＦ１〜ＳＢＦＫは、異なる方法で構成されている。この場合、Ｋ個のサブバンドフィルタＳＢＦ１〜ＳＢＦＫは直列接続され、サブバンドフィルタＳＢＦｋの第１の出力部が、後述するサブバンドフィルタＳＢＦｋ＋１の入力部と接続され、第１のサブバンドフィルタＳＢＦ１の入力部がサブバンド分割装置４０２の入力部４０１と接続される。第ｋのサブバンドフィルタＳＢＦｋについて、正確な構成が図４に詳細に示されている。サブバンドフィルタＳＢＦｋは、フィルタ回路Ｆｋ．１、Ｆｋ．２及びＦｋ．３と、遅延部Ｄｋと減衰部Ｖｋとを備える。全てのフィルタ回路Ｆｋ．１、Ｆｋ．２及びＦｋ．３は、２ｋ−１Ｔの信号遅延を実現する遅延部を含み、Ｔは、信号のサンプリング値のサンプリング時間である。フィルタ回路Ｆｋ．１及びＦｋ．３は、加算回路及び減算回路をも含む。フィルタ回路Ｆｋ．２も、加算回路を含む。遅延回路Ｄｋは、（２Ｋ−２ｋ）．Ｔの信号遅延を実現する。
【００４２】
フィルタ回路Ｆｋ．３は、Ｌｋ及びＮｋとして示される２つの出力信号を生成し、これらはサブバンドフィルタＳＢＦｋの出力信号としての役割を果たし、信号Ｌｋは主出力信号、Ｎｋは一種の補助信号とみなされるが、これらの機能は後述する。全ての他のサブバンドフィルタも、２つの出力信号を生成する。サブバンドフィルタＳＢＦＫのみが、１つの出力信号ＬＫのみを生成する。
【００４３】
フィルタ回路Ｆｋ．１及びＦｋ．２は、出力信号Ｇｋ＋１を得るべく、サブバンドフィルタＳＢＦｋの入力信号Ｇｋに適用されるローパスフィルタリングを実現する。フィルタ回路Ｆｋ．１及びＦｋ．３は、出力信号Ｌｋを維持するべく、サブバンドフィルタＳＢＦｋの入力信号Ｇｋに適用されるハイパスフィルタリングを実現する。フィルタ回路Ｆｋ．１及びＦｋ．２は、補助信号Ｎｋを得るべく、サブバンドフィルタＳＢＦｋの入力信号Ｇｋに適用されるバンドパスフィルタリングをさらに実現する。これについては、図５を参照してさらに説明する。
【００４４】
図５（ａ）は、入力部４０１における入力信号を概略的な態様で示すとともに、信号Ｇ１として第１のサブバンドフィルタ回路ＳＢＦ１に供給されるブロードバンド入力信号の帯域幅ｆ１を示す。例として、ここでの想定帯域幅は、２４ｋＨｚである。フィルタ回路Ｆ１．１及びＦ１．２の直列接続のローパスフィルタ特性は、図５（ｂ）に示されており、入力信号の帯域幅より小さく、この例においては１２ｋＨｚと等しい帯域幅ｆ２を示す。フィルタ回路Ｆ１．１及びＦ１．２の出力信号Ｇ２及び、従ってサブバンドフィルタＳＢＦ１の帯域幅は、従って、入力信号Ｇ１の帯域幅より小さい。フィルタ回路Ｆ１．１及びＦ１.３の直列接続のハイパスフィルタ特性は、図５（ｃ）に示されており、ｆ１より小さい下側カットオフ周波数を示す。この例において、この下側カットオフ周波数 は、カットオフ周波数ｆ２に等しく、すなわち、１２ｋＨｚに等しい。フィルタ回路Ｆ１．１及びＦ１.３の帯域幅は、自己の帯域幅がｆ１に限定された入力信号Ｇ１と併せると、従って、図５（ｄ）に示すように、１２ｋＨｚ及び２４ｋＨｚの間のバンドパスフィルタリングされた出力信号Ｌ１を生じさせる。
【００４５】
図５（ｂ）は、信号Ｇ２として第２のサブバンドフィルタ回路ＳＢＦ２に供給される入力信号の帯域幅を示す。サブバンドフィルタ回路ＳＢＦ２におけるフィルタ回路Ｆ２．１及びＦ２．２の直列接続のローパスフィルタ特性は、図５（ｅ）に示されており、入力信号Ｇ２の帯域幅より小さい帯域幅ｆ３を示す。この例において、帯域幅は、６ｋＨｚに等しい。フィルタ回路Ｆ２．１及びＦ２．２の出力信号Ｇ３及び、従ってサブバンドフィルタＳＢＦ２の帯域幅は、従って、入力信号Ｇ２の帯域幅より小さい。フィルタ回路Ｆ２．１及びＦ２.３の直列接続のハイパスフィルタ特性は、図５（ｆ）に示されており、ｆ２より小さい下側カットオフ周波数を示す。この例において、下側カットオフ周波数は、カットオフ周波数ｆ３に等しく、すなわち、６ｋＨｚに等しい。フィルタ回路Ｆ２．１及びＦ２.３の帯域幅は、自己の帯域幅がｆ２に限定された入力信号Ｇ２と併せると、従って、図５（ｇ）に示すように、６ｋＨｚ及び１２ｋＨｚの間でバンドパスフィルタリングされた出力信号Ｌ２を生じさせる。
【００４６】
図５（ｈ）〜図５（ｊ）は、図５（ａ）〜図５（ｇ）の周波数軸と比較されるように延びる周波数軸を有する。図５（ｈ）は、信号Ｇｋとして第ｋのサブバンドフィルタ回路ＳＢＦｋに供給される入力信号の帯域幅ｆｍを示す。サブバンドフィルタ回路ＳＢＦｋにおけるフィルタ回路Ｆｋ．１及びＦｋ．３の直列接続のハイパスフィルタ特性は、図５（ｉ）に示されており、ｆｍより小さい下側カットオフ周波数を示す。この例において、ｆｎとして示される下側カットオフ周波数は、周波数ｆｍの半分に等しい。フィルタ回路Ｆｋ．１及びＦｋ．３の帯域幅は、自己の帯域幅がｆｍに限定された入力信号Ｇｋと併せると、従って、図５（ｊ）に示すように、ｆｎ及びｆｍの間のバンドパスフィルタリングされた出力信号Ｌｋを生じさせる。
【００４７】
図５（ｋ）及び図５（ｌ）は、図５（ｈ）〜図５（ｊ）の周波数軸と比較されるように延びる周波数軸を有する。図５（ｋ）は、サブバンドフィルタ回路ＳＢＦＫ−１の第２の出力部で供給される出力信号ＬＫ−１の帯域幅を示す。同様に、サブバンドフィルタ回路ＳＢＦＫ−１は、自己の第１の出力部において、出力信号ＧＫ及び、従ってサブバンド信号ＬＫを生成する。
【００４８】
Ｋ＝１０の場合、カットオフ周波数は、この例において、従って、（ｆｐ＝）４６、８７５Ｈｚ、（ｆｏ＝）９３．７Ｈｚ、１８７．５Ｈｚ、３７５Ｈｚ、７５０Ｈｚ、１．５ｋＨｚ、３ｋＨｚ、（ｆ３＝）６ｋＨｚ、（ｆ２＝）１２ｋＨｚ及び（ｆ１＝）２４ｋＨｚである。
【００４９】
図５（ｍ）において、最終的に、サブバンドフィルタ回路ＳＢＦｋの出力信号Ｌｋ、Ｎｋ及びＬｋ＋１は、バンドパスフィルタリングされた信号として示される。補助信号Ｎｋは、周波数範囲がナローバンドサブバンド信号Ｌｋ及びＬｋ＋１の間であるナローバンド補助信号であることが明らかにわかる。
【００５０】
Ｋ−１個の補助信号Ｎｋの存在理由は、サブバンド信号Ｌｋが加算されて元のブロードバンド信号（この説明に無関係な遅延を別として）となるにも関わらず、これらのサブバンド信号Ｌｋの電力Ｌｋ２を積算しても、概して、加算されて元のブロードバンド信号の積算電力とはならない。サブバンド信号Ｌｋのみがサブバンド包絡線を抽出するために用いられる場合、このようなサブバンド包絡線の総和によって、元の信号の量を正確に表すことはできず、信号によっては誤差を含む。これらの誤差を補償するべく、追加的な補助信号Ｎｋが用いられる。補助信号Ｎｋはフィルタバンクを補完して直交系を生じさせることから、補助信号Ｎｋは、スケーリングされた補助信号電力ａ・Ｎｋ２という形の補完として加算されるべき損失電力を供給し、適切なスケーリング係数は、値ａ＝２である。対応するスケーリングされた補助信号電力は、各サブバンド信号電力に加算され、これにより、誤差の補償が達成される。
【００５１】
出力信号Ｌｋ及びＮｋ（ｋ＝１、２、…Ｋ−１の場合）及びＬＫは、包絡線検出部４０７に供給されるので、図４を参照されたい。出力信号Ｌｋ（ｋ＝１、２、…Ｋの場合）は、増幅部（図１の増幅部１０４に対応する）に供給される。図４も、図１の増幅制御回路１１０を概略的に示すが、図４においては、参照符号４１０が付されている。異なるブロック間の様々な接続線も、示されている。
【００５２】
図６は、図１に係るダイナミックレンジ圧縮器における包絡線検出装置１０７の実施可能形態を示し、図６の包絡線検出部は、参照符号６０７によって示される。
【００５３】
既に上述したように、この包絡線検出部６０７は、図４のサブバンド分割装置４０２と協同で動作する。包絡線検出部６０７は、従って、信号Ｌｋ及びＮｋ（ｋ＝１、２、…Ｋ−１の場合）及びＬＫを、図４のサブバンド分割装置４０２から受信する。
【００５４】
包絡線検出部６０７は、補助入力信号Ｈ１を受信するための入力部６１０を有する。入力部６１０は、アースに接続される。信号Ｈ１は、補助信号として、包絡線検出器ＥＤ１に供給される。
【００５５】
包絡線検出部６０７は、各サブバンドＳＢｋについて、包絡線検出器ＥＤｋを含み、ｋ＝１、２、…Ｋである。検出器ＥＤｋは、ｋ＝１、２、…Ｋ−１の場合、対応する入力信号Ｌｋ及びＮｋを受信し、入力信号Ｌｋ及びＮｋは、検出器ＥＤｋにおいて、二乗器Ｑｋ．１及びＱｋ．２によって二乗される。二乗信号Ｌｋ２は、加算器Ｓｋ．３に供給される。値ａによって乗算された後の二乗信号Ｎｋ２は、好適には２に等しく、加算器Ｓｋ．３に供給されるとともに、その中で補助信号Ｈｋに加算される。乗算器Ｍｋ．２において乗算された後の加算器Ｓｋ．１の出力信号は、補助信号Ｈｋ＋１として、直近の包絡線検出器ＥＤｋ＋１に供給される。乗算器Ｍｋ．２及び減算器Ｓｋ．２の回路は、値（１−ｂ）によって加算器Ｓｋ．１の出力信号に適用される乗算を実現し、加算器Ｓｋ．３の第２の入力部に供給される信号を生じさせる。
【００５６】
加算器Ｓｋ．３の出力信号は、包絡線信号Ｐｋである。
【００５７】
値ｂについては、０≦ｂ≦１が、好適には有効である。ｂ＝０の場合、包絡線検出部６０７は結果的に単純化し、包絡線検出器は接続されず（従って、補助信号Ｈｋはない）、乗算器Ｍｋ．１の出力部及び加算器Ｓｋ．３の第２の入力部の間が直接接続されることにより、加算器Ｓｋ．１及びＳｋ．２は、省略することができる。ｂ＝０．５の場合、加算器Ｓｋ．２が省略できることから、包絡線検出部６０７も単純化する。
【００５８】
検出器ＥＤＫは、対応する入力信号ＬＫを受信し、入力信号ＬＫは、検出器ＥＤＫにおいて二乗器ＱＫ．１によって二乗される。二乗信号ＬＫ２は、加算器ＳＫ．３に供給され、その中で加算されて補助信号ＨＫを形成する。
【００５９】
加算器ＳＫ．３の出力信号は、包絡線信号ＰＫである。
【００６０】
包絡線信号Ｐｋ（ｋ＝１、２、…Ｋの場合）は、図４の線４１６に対応する線５１６を介して、増幅制御回路５１０に供給される。
【００６１】
この包絡線信号の抽出は、信号電力の原理に基づく。ユニットＱｋ．１、Ｑｋ．２、Ｍｋ．１及びＳｋ．３の効果は、図５に関する考察よって説明される。このようにして、サブバンド信号における周波数部分に対して相対的に低い包絡線波形が達成され、このことから、低歪みの増幅制御を得るために包絡線を用いることが有利であることがわかる。サブバンド包絡線の周波数焦点は、スケーリングされた補助信号電力の加算により、対応するサブバンド信号の周波数焦点に対していくらか移動しているため、それぞれの周波数帯域のサブバンド電力のごく一部は、ユニットＳｋ．１、Ｍｋ．２及びＳｋ．２によって、次のより低い周波数帯域に送られるこの量で、任意に分岐する。サブバンド電力の総和は、変化しない。これにより、周波数焦点のシフトが補償される。部分係数ｂは、最適化することができる。ｂ＝０．５の場合、全ての包絡線検出部において、サブバンド包絡線の特に平滑なインパルス応答が得られる。
【００６２】
図１のサブバンド分割装置（１０２）が図４に示すように構成されることから、サブバンド結合装置１０５は、非常に簡単な方法で実装することができ、すなわち、Ｋ個の増幅サブバンド信号のみに適用される純然たる信号加算器として動作することができる。
【００６３】
図７は、ステレオ音声信号の強弱が制御される場合における、本発明に係るダイナミックレンジ圧縮器の第２の例示的な実施形態を概略的に示す。ダイナミックレンジ圧縮器は、２つの分岐によって形成され、２つのステレオチャネルの各々に１つの分岐が対応する。第１の分岐は、２つのステレオ音声信号の１つ、例えば、左信号を受信するための入力部７００．１によって形成される。入力部７００．１は、ブロードバンド入力信号を、Ｋ個の出力部７０３．１〜７０３．Ｋに供給されるＫ個のサブバンド信号に分割するべく、サブバンド分割装置７０２．１の入力部７０１．１と接続される。増幅部７０４．１は、Ｋ個の増幅サブバンド信号を生成するための対応する増幅係数によって、Ｋ個のサブバンド信号の各々を増幅するために設けられる。Ｋ個の増幅サブバンド信号は、サブバンド結合装置７０５．１に供給される。サブバンド結合装置７０５．１は、ダイナミックレンジ圧縮器の出力部７０６．１に供給される出力信号を生成するべく、Ｋ個の増幅サブバンド信号を結合するように構成される。包絡線検出部７０７．１は、Ｋ個の包絡線信号を生成するために設けられ、各包絡線信号は、それぞれの周波数サブバンドＳＢｋの１つに対応する。包絡線検出部７０７．１の入力部７０８．１〜７０８．Ｋは、サブバンド分割装置７０２．１の出力部７０３．１〜７０３．Ｋのそれぞれに接続される。包絡線検出部７０７．１の出力部７２０．１〜７２０．Ｋにおけるそれぞれの包絡線信号は、増幅器制御装置７２５に供給される。
【００６４】
第２の分岐は、２つのステレオチャネル音声信号の他方、例えば右信号を受信するための入力部７００．２によって形成される。入力部７００．２は、ブロードバンド入力信号を、Ｋ個の出力部７２１．１〜７２１．Ｋに供給されるＫ個のサブバンド信号に分割するべく、サブバンド分割装置７０２．２の入力部７０１．２と接続される。増幅部７０４．２は、Ｋ個の増幅サブバンド信号を生成するための対応する増幅係数によって、Ｋ個のサブバンド信号の各々を増幅するために設けられる。Ｋ個の増幅サブバンド信号は、サブバンド結合装置７０５．２に供給される。サブバンド結合装置７０５．２は、ダイナミックレンジ圧縮器の出力部７０６．２に供給される出力信号を生成するべく、Ｋ個の増幅サブバンド信号を結合するように構成される。包絡線検出部７０７．２は、Ｋ個の包絡線信号を生成するために設けられ、各包絡線信号は、周波数サブバンドＳＢｋの１つにそれぞれ対応する。包絡線検出部７０７．２の入力部７２２．１〜７２２．Ｋは、サブバンド分割装置７０２．２の出力部７２１．１〜７２１．Ｋとそれぞれ接続される。包絡線検出部７０７．２の出力部７２３．１〜７２３．Ｋにおけるそれぞれの包絡線信号も、増幅器制御装置７２５に供給される。
【００６５】
増幅器制御装置７２５は、包絡線検出器７０７．１からのＫ個の包絡線信号に基づいて、かつ包絡線検出器７０７．２からのＫ個の包絡線信号に基づいて、増幅部７０４．１に対するＫ個の増幅係数を生成するとともに、増幅部７０４．２に対するＫ個の増幅係数を生成するように構成される。
【００６６】
この目的のために、包絡線部７０７．１の出力部７２０．１〜７２０．Ｋ及び包絡線部７０７．２の出力部７２３．１〜７２３．Ｋは、増幅器制御装置７２５の対応する入力部に接続される。
【００６７】
増幅器制御装置７２５の１つの実施形態において、増幅器制御装置７２５は、Ｋ個の信号結合部７２６．１〜７２６．Ｋを含み、特に、これらの信号結合部は、信号加算器である。信号結合部７２６．ｋは、（このｋが１〜Ｋに等しい場合）包絡線検出器７０７．１の出力部７２０．ｋからの包絡線信号を、包絡線検出器７０７．２の出力部７２３．ｋからの包絡線信号と結合（加算）するように構成される。
【００６８】
Ｋ個の信号結合部７２６．１〜７２６．ＫのＫ個の出力信号は、信号ブロック７１０の対応する入力部７１１．１〜７１１．Ｋに供給される。１つの実施形態において、この信号ブロック７１０は、図２において説明したように、増幅器制御装置２１０とまさに同様である。
【００６９】
信号ブロック７１０の出力部７１２．１〜７１２．Ｋは、増幅器制御装置７２５のＫ個の出力部を表すとともに、Ｋ個の増幅器制御信号をこれらの増幅器に供給し、従って、これらの増幅器における増幅を制御するべく、増幅部７０４．１における増幅器の制御入力部と接続される。これらの出力部７１２．１〜７１２．Ｋは、Ｋ個の増幅器制御信号をこの増幅器に供給し、従って、これらの増幅器における増幅を制御するべく、増幅部７０４．２における増幅器の制御入力部とも接続される。増幅器制御信号７３０．ｋ（ここで、ｋは１〜Ｋに等しい）は、これらの増幅器における増幅を制御するべく、増幅部７０４．１の増幅器Ａｋ及び増幅部７０４．２の増幅器Ａｋの両方に供給される。
【００７０】
本発明によれば、増幅器制御装置７２５は、２Ｋ個の包絡線信号の１つより多くに基づいて、増幅器制御信号の１つを生成するように構成される。特に、増幅器制御装置７２５は、２Ｋ個の包絡線信号の全てに基づいて、増幅器制御信号を生成するように構成される。特に、増幅器制御装置７２５は、２Ｋ個の包絡線信号の全てに基づいて２Ｋ個の増幅器制御信号の全てを生成するように構成される。これは、信号ブロック７１０における信号結合回路（これは、図２の信号結合回路２１９である）が、自己の入力部に供給された全ての信号を、併せて加算することによって達成される。
【００７１】
図７に係るダイナミックレンジ圧縮器は、増幅器制御装置７１０が、ブロードバンドステレオ信号が過渡的な挙動を示す場合には、２つのステレオ信号についての異なるサブバンドに対して異なる増幅係数を生成するように構成されるとともに、ブロードバンドステレオ信号がほぼ定常的な挙動を示す場合には、両方のステレオ信号の異なるサブバンドに対してほぼ等しい増幅係数を生成するように構成されるように動作する。
【００７２】
さらに、ダイナミックレンジ圧縮器は、増幅器制御装置７１０が、２つのステレオ信号の１つにおける１つのサブバンドにおける増幅器制御を、このサブバンドにおいて過渡的な挙動が生じる場合には、２つのステレオ信号の他のサブバンドにおける増幅器制御から分離するように構成されるように動作する。
【００７３】
特に、ダイナミックレンジ圧縮器は、増幅器制御装置７１０が、過渡的な挙動の終了後、２つのステレオ信号についての全てのサブバンドに対して、等しい増幅係数を生成するべく、全てのサブバンドにおける増幅器制御を結合するように構成されるように動作する。
【図１】
0006376605.tif 000002
【図２】
0006376605.tif 000003
【図３】
0006376605.tif 000004
【図４】
0006376605.tif 000005
【図５】
0006376605.tif 000006
【図６】
0006376605.tif 000007
【図７】
0006376605.tif 000008